(57)【特許請求の範囲】
【請求項１】
隣接するコンクリートブロックの目地部を前記コンクリートブロックの内方に生じる水流から止水するために用いられ、前記コンクリートブロックの内面に設置される止水シートにおいて、
前記水流に対して少なくとも上流側の端部が、先端に向うにつれてその厚さが増加するように形成されたことを特徴とする、止水シート。
【請求項２】
隣接するコンクリートブロックの目地部を前記コンクリートブロックの内方に生じる水流から止水するために用いられ、前記コンクリートブロックの内面に設置される止水シートであって、
シート本体と、
前記シート本体の少なくとも上流側の端部に接続され、前記シート本体より大きな曲げ剛性を有する剛性体とを備えた、止水シート。
【請求項３】
前記剛性体は、先端に向うにつれてその厚さがコンクリートブロック側の面に向かって減少する形状を有する、請求項２記載の止水シート。
【請求項４】
前記剛性体は、断面が直角三角形形状の先端部と、前記先端部の前記コンクリートブロック側の位置に接続され、断面が矩形形状を有する後方部とからなり、
前記シート本体の前記端部の前記コンクリートブロック側の面は、前記後方部と重なり合い、その合計厚さが前記シート本体の他の部分の厚さに一致するように切り欠かれた、請求項３記載の止水シート。
【請求項５】
前記剛性体は、断面が直角三角形形状の先端部と、前記先端部の前記コンクリートブロック側の位置に接続され、断面が後方に向うにつれてその厚さが前記コンクリートブロックの面に向かって減少する直角三角形形状を有する後方部とからなり、
前記シート本体の前記端部の前記コンクリートブロック側の面は、前記後方部と重なり合い、その合計厚さが前記シート本体の他の部分の厚さと一致するように切り欠かれた、請求項３記載の止水シート。
【請求項６】
前記剛性体は、断面が直角三角形形状の先端部と、前記先端部の前記コンクリートブロック側から最も離れた位置に接続され、断面が矩形形状を有する後方部とからなり、前記先端部の前記コンクリートブロック側の面を含む平面と前記後方部の前記コンクリートブロック側の面を含む平面との垂直距離が前記シート本体の厚さに一致する、請求項３記載の止水シート。
【請求項７】
前記剛性体と前記コンクリートブロックの面との間に取付られ、前記剛性体と合わせた形状の断面は、前記シート本体の厚さを一辺とした直角三角形形状を有する弾性体を更に備えた、請求項３記載の止水シート。
【請求項８】
請求項１から請求項７の何れかに記載の止水シートを用いた止水構造体において、
前記シート本体には、折り畳み部が形成され、前記折り畳み部を覆うカバーシートを備えたことを特徴とする、止水構造体。
【請求項９】
隣接するコンクリートブロックの目地部を前記コンクリートブロックの内方に生じる水流から止水するために用いられ、前記コンクリートブロックの内面に設置される止水構造体であって、
シート本体と前記シート本体の少なくとも上流側に接続された端部とからなる止水シートと、
前記シート本体の上流側の端部に配置され、前記シート本体を前記コンクリートブロックに押圧して固定する押え板とからなり、
前記端部は、その内面側の面が前記コンクリートブロック側の面に向かって傾斜すると共に、その一辺が前記シート本体の厚さと前記押え板の厚さとの合計厚さに一致する直角三角形形状の断面を有する、止水構造体。
【請求項１０】
隣接するコンクリートブロックの目地部を前記コンクリートブロックの内方に生じる水流から止水するために用いられ、前記コンクリートブロックの内面に設置される止水構造体であって、
シート本体からなる止水シートと、
前記シート本体の少なくとも上流側の端部に配置され、前記シート本体より曲げ剛性の大きな剛性板と、
前記剛性板の上面に配置され、前記シート本体と前記剛性板とを前記コンクリートブロックに押圧して固定する押え板とを備え、
前記剛性板は、前記シート本体と前記押え板との間に位置する水平部と、前記水平部の上流側に接続され、その先端が前記コンクリートブロックの面に傾斜した状態で当接するように屈曲した傾斜部とからなる、止水構造体。
【請求項１１】
隣接するコンクリートブロックの目地部を前記コンクリートブロックの内方に生じる水流から止水するために用いられ、前記コンクリートブロックの内面に設置される止水構造体であって、
シート本体からなる止水シートと、
前記シート本体の少なくとも上流側の端部に配置され、前記シート本体を前記コンクリートブロックに押圧して固定する押え板とからなり、
前記押え板は、前記端部の上面に位置する水平部と前記水平部の上流側に接続され、その先端が前記コンクリートブロックの面に傾斜した状態で当接するように屈曲した傾斜部とからなる、止水構造体。
【発明の詳細な説明】
【技術分野】
【０００１】
この発明は止水シート及び止水構造体に関し、特に水路等のコンクリート製構造物の目地部を止水する止水シート及び止水構造体に関するものである。
【背景技術】
【０００２】
図１２は特許文献１に開示されているコンクリート構造物の目地止水継手についての概略構造を示した図である。
【０００３】
図を参照して、コンクリートブロック２０ａ，コンクリートブロック２０ｂが目地部３５を介して、隣接状態に設置されている。これらの内面には目地部３５を跨ぐようにして止水シート１７が配置され、その両端部は押え板４０ａ，押え板４０ｂを介してボルト４１ａ，ボルト４１ｂによって取付られている。止水シート１７はその中央部が折り畳まれて折り畳み部３７が形成されている。これによって地震等によって目地部３５の間隔が広がったような場合には、折り畳み部３７の折り畳み状態が解除されて止水シート１７による目地部３５に対する止水性能が維持される。
【０００４】
【特許文献１】特開平９‐１４４１４８号公報
【発明の開示】
【発明が解決しようとする課題】
【０００５】
図１３は図１２で示した止水シートの問題点を説明するための概略断面図である。
【０００６】
図を参照して、止水シート１７の端部１９はコンクリートブロック２０ａに対して、切り立った状態に設置されている。そのため矢印方向に水流２２が生じると、水流２２が停止した状態にあっては、端部１９に水６１が残ることになる。この水６１の残存に伴ない水流２２に交じったゴミ等も残ることになるため水路として好ましいものではない。
【０００７】
図１４は図１２で示した止水シートの構造に対して、更に他の問題点を説明するための概略断面図である。
【０００８】
図を参照して、水流２２の勢いが強くなると、止水シート１７自体は可撓性を有するものであるため、その端部１９が捲れ上がることになる。端部１９が捲れ上がると隙間６３が形成されるため、この隙間６３に水流２２に交じって流れてきたゴミ等が侵入することになり、やはり好ましいものではない。
【０００９】
この発明は上記のような課題を解決するためになされたもので、スムーズな水流が確保できると共に、上流端部が捲れ上がったりしない止水シート及び止水構造体を提供することを目的とする。
【課題を解決するための手段】
【００１２】
上記の目的を達成するために、請求項１記載の発明は、隣接するコンクリートブロックの目地部をコンクリートブロックの内方に生じる水流から止水するために用いられ、コンクリートブロックの内面に設置される止水シートにおいて、水流に対して少なくとも上流側の端部が、先端に向うにつれてその厚さが増加するように形成されたことを特徴とするものである。
【００１３】
このように構成すると、止水シートの上流側端部の曲げ剛性が増加する。
【００１４】
請求項２記載の発明は、隣接するコンクリートブロックの目地部をコンクリートブロックの内方に生じる水流から止水するために用いられ、コンクリートブロックの内面に設置される止水シートであって、シート本体と、シート本体の少なくとも上流側の端部に接続され、シート本体より大きな曲げ剛性を有する剛性体とを備えたものである。
【００１５】
このように構成すると、止水シートの上流側端部の曲げ剛性が増加する。
【００１６】
請求項３記載の発明は、請求項２記載の発明の構成において、剛性体は先端に向うにつれてその厚さがコンクリートブロック側の面に向かって減少する形状を有するものである。
【００１７】
このように構成すると、止水シートの上流側端部は水流に対する抵抗が低減する。
【００１８】
請求項４記載の発明は、請求項３記載の発明の構成において、剛性体は、断面が直角三角形形状の先端部と、先端部のコンクリートブロック側の位置に接続され、断面が矩形形状を有する後方部とからなり、シート本体の端部のコンクリートブロック側の面は、後方部と重なり合い、その合計厚さがシート本体の他の部分の厚さに一致するように切り欠かれたものである。
【００１９】
このように構成すると、剛性体のコンクリートブロックから離れる方向への移動がシート本体により阻止される。
【００２０】
請求項５記載の発明は、請求項３記載の発明の構成において、剛性体は、断面が直角三角形形状の先端部と、先端部のコンクリートブロック側の位置に接続され、断面が後方に向うにつれてその厚さがコンクリートブロックの面に向かって減少する直角三角形形状を有する後方部とからなり、シート本体の端部のコンクリートブロック側の面は、後方部と重なり合い、その合計厚さがシート本体の他の部分の厚さと一致するように切り欠かれたものである。
【００２１】
このように構成すると、剛性体のコンクリートブロックから離れる方向への移動がシート本体により阻止されると共に、シート本体と剛性体との密着状態がより高まる。
【００２２】
請求項６記載の発明は、請求項３記載の発明の構成において、剛性体は、断面が直角三角形形状の先端部と、先端部のコンクリートブロック側から最も離れた位置に接続され、断面が矩形形状を有する後方部とからなり、先端部のコンクリートブロック側の面を含む平面と、後方部のコンクリートブロック側の面を含む平面との垂直距離がシート本体の厚さに一致するものである。
【００２３】
このように構成すると、剛性体はシート本体の端部を覆うように取付られる。
【００２４】
請求項７記載の発明は、請求項３記載の発明の構成において、剛性体とコンクリートブロックの面との間に取付られ、剛性体と合わせた形状の断面は、シート本体の厚さを一辺とした直角三角形形状を有する弾性体を更に備えたものである。
【００２５】
このように構成すると、コンクリートブロックの表面形状に応じて弾性体は変形する。
【００２６】
請求項８記載の発明は、請求項１から請求項７の何れかに記載の止水シートを用いた止水構造体において、シート体には折り畳み部が形成され、折り畳み部を覆うカバーシートを備えたことを特徴とするものである。
【００２７】
このように構成すると、シート本体の折り畳み部の段差がカバーシートにより覆われる。
【００２８】
請求項９記載の発明は、隣接するコンクリートブロックの目地部をコンクリートブロックの内方に生じる水流から止水するために用いられ、コンクリートブロックの内面に設置される止水構造体であって、シート本体とシート本体の少なくとも上流側に接続された端部とからなる止水シートと、シート本体の上流側の端部に配置され、シート本体をコンクリートブロックに押圧して固定する押え板とからなり、端部はその内面側の面がコンクリートブロック側の面に向かって傾斜すると共に、その一辺がシート本体の厚さと押え板の厚さとの合計厚さに一致する直角三角形形状の断面を有するものである。
【００２９】
このように構成すると、押え板も含め止水構造体の上流側端部における水流に対する抵抗が低減する。
【００３０】
請求項１０記載の発明は、隣接するコンクリートブロックの目地部をコンクリートブロックの内方に生じる水流から止水するために用いられ、コンクリートブロックの内面に設置される止水構造体であって、シート本体からなる止水シートと、シート本体の少なくとも上流側の端部に配置され、シート本体より曲げ剛性の大きな剛性板と、剛性板の上面に配置され、シート本体と剛性板とをコンクリートブロックに押圧して固定する押え板とを備え、剛性板はシート本体と押え板との間に位置する水平部と、水平部の上流側に接続され、その先端がコンクリートブロックの面に傾斜した状態で当接するように屈曲した傾斜部とからなるものである。
【００３１】
このように構成すると、シート本体の上流側端部は剛性板の傾斜部によって囲われる。
【００３２】
請求項１１記載の発明は、隣接するコンクリートブロックの目地部をコンクリートブロックの内方に生じる水流から止水するために用いられ、コンクリートブロックの内面に設置される止水構造体であって、シート本体からなる止水シートと、シート本体の少なくとも上流側の端部に配置され、シート本体をコンクリートブロックに押圧して固定する押え板とからなり、押え板は端部の上面に位置する水平部と、水平部の上流側に接続され、その先端がコンクリートブロックの面に傾斜した状態で当接するように屈曲した傾斜部とからなるものである。
【００３３】
このように構成すると、シート本体の上流側端部は押え板の傾斜部によって囲われる。
【発明の効果】
【００３５】
以上説明したように、請求項１記載の発明は、止水シートの上流側端部の曲げ剛性が増加するため、水流によって端部が捲れ上がる虞が軽減される。
【００３６】
請求項２記載の発明は、止水シートの上流側端部の曲げ剛性が増加するため、水流によって端部が捲れあがる虞が軽減される。又、止水シートの先端部が石等の衝突に対して保護される。
【００３７】
請求項３記載の発明は、請求項２記載の発明の効果に加えて、止水シートの上流側端部は水流に対する抵抗が低減するため、水流は端部に沿ってスムーズに流れ、水流停止時に端部に水等が溜まることが防止される。
【００３８】
請求項４記載の発明は、請求項３記載の発明の効果に加えて、剛性体のコンクリートブロックからの移動がシート本体によって阻止されるため、剛性体の取付状態が安定し、止水シートの信頼性が向上する。
【００３９】
請求項５記載の発明は、請求項３記載の発明の効果に加えて、剛性体の移動が阻止されると共にシート本体との密着状態が高まるため、剛性体の取付状態がより安定し、止水シートの信頼性がより向上する。
【００４０】
請求項６記載の発明は、請求項３載の発明の効果に加えて、剛性体はシート本体の端部を覆うように取付られるため、シート本体の端部は加工する必要がなく、又石等の衝突から確実に保護されることになる。
【００４１】
請求項７記載の発明は、請求項３記載の発明の効果に加えて、コンクリート面の表面状態に応じて弾性体が変形するため、コンクリート面の表面状態に関わらずその間の隙間の発生が防止されるので、止水シートの信頼性が向上する。
【００４２】
請求項８記載の発明は、請求項１から請求項７の何れかに記載の発明の効果に加えて、シート本体の折り畳み部の段差がカバーシートにより覆われるため、段差に水等が溜まることが防止される。
【００４３】
請求項９記載の発明は、止水構造体の上流側端部における水流に対する抵抗が低減するため、水流は端部に沿ってスムーズに流れ、水流停止時に端部に水等が溜まることが防止される。
【００４４】
請求項１０記載の発明は、シート本体の上流側端部は剛性板の傾斜部によって囲われるため、水流は傾斜部に沿ってスムーズに流れ、水流停止時に止水シートの端部に水等が溜まることが防止される。又、シート本体の端部は何ら加工する必要はない。
【００４５】
請求項１１記載の発明は、シート本体の上流側端部は押え板の傾斜部によって囲われるため、水流は傾斜部に沿ってスムーズに流れ、水流停止時に止水シートの端部に水等が溜まることが防止される。又、シート本体の端部は何ら加工する必要がなく、押え板の形状を変えるだけで良いため効率的な構造となる。
【発明を実施するための最良の形態】
【００４６】
図１はこの発明の第１の実施の形態による止水シートの概略構造を示した断面図である。
【００４７】
図を参照して、コンクリートブロック２０の内面には止水シート１７が設置されている。止水シート１７において、シート本体１８の水流２２に対する上流側の端部１９は、その内面側の面がコンクリートブロック２０の面に向かって傾斜するように形成されている。これによって、水流２２はスムーズに端部１９に沿って流れることになる。このようにして止水シート１７の端部１９における水流２２に対する抵抗が低減する。この結果、水流２２が停止した際には、止水シート１７の端部１９において水やゴミ等が溜まることが防止される。
【００４８】
図２はこの発明の第２の実施の形態による止水シートの概略構造を示した断面図である。
【００４９】
図を参照して、その（１）に示されているように、止水シート１７を構成するその厚さがほぼ一定のシート本体１８に対して、その上流側に先端に向うにつれてその厚さが増加するように形成された端部１９が一体的に接続されている。端部１９は少なくともその厚さがシート本体１８より大きく形成されているため、同一構成材料ではあるため、端部１９の曲げ剛性はシート本体１８のそれに比べて大きくなる。そのため、その（２）に示されているように、端部１９の端面２４に対して水流２２が加わった時、その曲げ剛性の大きさによって下端２５が捲れ上がることが防止される。その結果、隙間が生じることによるゴミ等の溜まりから止水シート１７は防止されることになる。
【００５０】
図３はこの発明の第３の実施の形態による止水シートの概略形状を示した断面図である。
【００５１】
図を参照して、コンクリートブロック２０の内面に配置される止水シート１７は、シート本体１８とシート本体１８の上流側の端部１９に接続された剛性体２７とから構成されている。シート本体１８は従来から用いられている通常の止水シートと何ら変わるものではない。一方、剛性体２７は例えば金属材料により形成され、上流側に向うにつれてその厚さがコンクリートブロック２０側の面に向かって減少する直角三角形断面形状を有している。又、剛性体２７はシート本体１８より大きな曲げ剛性を有している。
【００５２】
これによって水流は剛性体２７に沿ってスムーズに流れ、水流が停止時に剛性体２７の周りに水、ゴミ等が溜まることが防止される。又、剛性体２７の曲げ剛性が大きいため、水流によってその先端が捲れ上がる虞が軽減される。又、シート本体１８の端部１９の端面は剛性体２７によって覆われることになるため、シート本体１８の先端部が石等の衝突に対して保護されることになる。
【００５３】
図４はこの発明の第４の実施の形態による止水シートの概略構造を示した断面図である。
【００５４】
図を参照して、シート本体１８の上流側に剛性体２７が設置されている点は先の第３の実施の形態と同様であるが、剛性体２７の形状が若干異なっている。即ち、剛性体２７は断面が直角三角形形状の先端部２９と、先端部２９のコンクリートブロック２０側の位置に接続され、断面が矩形形状を有する後方部３０とから構成されている。
【００５５】
シート本体１８の端部１９のコンクリートブロック２０側の面は、後方部３０と重なり合い、その合計厚さがシート本体１８の他の部分の厚さに一致するように切り欠かれている。これによって先端部２９はシート本体１８の端部１９の上流側端面を完全に覆うことが可能となる。又、剛性体２７の後方部３０は端部１９によってコンクリートブロック２０側に押圧された状態となる。そのため、水流によって、剛性体２７がコンクリートブロック２０から離れる方向に移動することが防止され、安定した取付状態が確保できる。
【００５６】
このように構成することによって、先の第３の実施の形態と同様にスムーズな水流の確保され、水流停止時の水、ゴミ等の滞留が防止される。
【００５７】
図５はこの発明の第５の実施の形態による止水シートの概略構造を示した断面図である。
【００５８】
基本的な構造は先の第４の実施の形態によるものと同一であるが、剛性体２７の後方部３０の形状が若干異なっている。即ち、剛性体２７の後方部３０は先端部２９のコンクリートブロック２０側の位置に接続され、その断面が後方に向うにつれてその厚さがコンクリートブロック２０の面に向かって減少する直角三角形形状を有している。そして、シート本体１８の端部１９のコンクリートブロック２０側の面は後方部３０と重なり合い、その合計厚さがシート本体１８の他の部分の厚さと一致するように切り欠かれている。これによってシート本体１８と剛性体２７の後方部３０との密着状態がより高まり、剛性体２７の取付状態がより安定する。これによって水流のスムーズな流れが確保されると共に、水流停止時において、剛性体２７に水やゴミ等が滞留することが防止される。
【００５９】
図６はこの発明の第６の実施の形態による止水シートの概略構造を示した断面図である。
【００６０】
図を参照して、シート本体１８より大きな曲げ剛性を有する剛性体２７は、断面が直角三角形形状の先端部２９と、先端部２９に接続された後方部３０とから構成されている。後方部３０は先端部２９のコンクリートブロック２０側から最も離れた位置に接続され、その断面が矩形形状を有している。そして、先端部２９のコンクリートブロック２０側の面を含む平面と後方部３０のコンクリートブロック２０側の面を含む平面との垂直距離はシート本体１８の厚さに一致するように設定されている。
【００６１】
これによって、先端部２９がコンクリートブロック２０の内面に接した状態でシート本体１８の端部１９の上流側端面を完全に覆うことが可能となる。これによって、スムーズな水流が確保されると共に、水流の停止時に先端部２９の周辺に水やゴミ等が滞留する虞がない。又、シート本体１８の端部１９の上流側端面は加工する必要はなく、又水流に交じって流れてくる石等の衝突から剛性体２７によって端部１９が確実に保護されるため、その耐久性が向上する。
【００６２】
図７はこの発明の第７の実施の形態による止水シートの概略構造を示した断面図である。
【００６３】
図を参照して、シート本体１８の端部１９の上流側端面にシート本体１８より大きな曲げ剛性を有する剛性体２７と、弾性変形自在な弾性体３３とが取付られている。剛性体２７と弾性体３３とを合わせた形状の内面側の面はコンクリートブロック２０側の面に向かって傾斜するように形成されている。そして、それらの断面形状はシート本体１８の厚さを一辺とした直角三角形形状を有している。
【００６４】
このように構成することによって、スムーズな水流が確保されると共に、水流停止時に剛性体２７及び弾性体３３の周囲に水やゴミ等が滞留する虞がない。又、コンクリートブロック２０の内面側には弾性体３３が配置されているため、コンクリートブロック２０の表面状態に応じて弾性体３３は自在に密着状態に変形することが可能となる。この結果、コンクリートブロック２０の表面状態に関わらず弾性体３３とコンクリートブロック２０との間の隙間の発生が防止されるため、止水シート１７の信頼性がより向上する。
【００６５】
図８はこの発明の第８の実施の形態による止水構造体の取付状態を示した概略断面図であって、背景技術として示した図１２の図に対応したものである。
【００６６】
図を参照して、止水シート１７の折り畳み部３７を含むその内面側を全面的に覆うようにカバーシート３８が取付られている。そして、カバーシート３８の端部は、押え板４０ａ，押え板４０ｂを介してボルト４１ａ，ボルト４１ｂによって一体的にコンクリートブロック２０ａ，コンクリートブロック２０ｂに固定されている。
【００６７】
カバーシート３８がない状態にあっては、折り畳み部３７の構造によって止水シート１７には段部が生じることになる。この段部は止水シート１７の上流側端部と同様に水流に対する抵抗となる。又、水流の停止時に段部に水やゴミ等が滞留することにもなる。ところが、カバーシート３８によって止水シート１７を全体的に覆うことによって、カバーシート３８による段部が水流に対して露出しないことになる。その結果、スムーズな水流が確保されると共に、折り畳み部３７の段部に水やゴミ等が滞留することが防止される。このようなカバーシート３８の構造は、先の第１から第７の実施の形態による止水シートに対しても折り畳み部を有するものには同様に適用できるものである。
【００６８】
図９はこの発明の第９の実施の形態による止水構造体の概略形状を示した断面図である。
【００６９】
尚、この図にあっては、止水シート１７の上流側部分を表している。図を参照して、止水シート１７は、ほぼ一定厚さのシート本体１８と、シート本体１８の上流側に接続された端部１９とから構成されている。そして、シート本体１８の上流側の部分の上面に配置され、シート本体１８をコンクリートブロック２０ａにボルト４１ａを介して固定する押え板４０ａが配置されている。止水シート１７の端部１９は、内面側の面がコンクリートブロック２０ａ側の面に向かって傾斜すると共に、その一辺がシート本体１８の厚さと押え板４０ａの厚さとの合計厚さに一致する直角三角形形状の断面を有している。
【００７０】
これによって水流は押え板４０ａの上流側端面の影響も受けることなく、端部１９に沿ってスムーズに確保される。その結果、止水シート１７の上流側及び押え板４０ａの上流側においては水やゴミ等が滞留する虞がない。
【００７１】
図１０はこの発明の第１０の実施の形態による止水構造体の概略構造を示した断面図である。
【００７２】
図を参照して、止水シート１７としては、シート本体１８の上流側の端部１９が何の加工もされていない通常のものが用いられている。シート本体１８の上流側の上面にはシート本体１８より曲げ剛性の大きな剛性板４３が配置され、更に、剛性板４３の上面には、ボルト４１ａを介してシート本体１８と剛性板４３とをコンクリートブロック２０ａに押圧して固定する押え板４０ａが配置されている。剛性板４３は、シート本体１８と押え板４０ａとの間に位置する水平部４４と、水平部４４の上流側に接続されその先端がコンクリートブロック２０ａの面に傾斜した状態で当接するように屈曲した傾斜部４５とから構成されている。
【００７３】
このように構成することよって、スムーズな水流が確保されると共に、シート本体１８の上流側には水やゴミ等が滞留する虞がない。又、止水シート１７の上流側端面は剛性板４３によって覆われることになるため、水流に交じって流れてきた石等による損傷が防止される。
【００７４】
図１１はこの発明の第１１の実施の形態による止水構造体の概略構造を示した断面図である。
【００７５】
図を参照して、止水シート１７自体はその端部１９が何ら加工されていない通常のシート本体１８が使用されている。シート本体１８の上流側の上面にはシート本体１８をボルト４１ａを介してコンクリートブロック２０ａに押圧して固定する押え板４０ａが配置されている。そして、押え板４０ａは止水シート１７の端部１９の上面に位置する水平部４８と、水平部４８の上流側に接続され、その先端がコンクリートブロック２０ａの面に傾斜した状態で当接するように屈曲した傾斜部４９とから構成されている。
【００７６】
これによって、スムーズな水流が確保されると共に、傾斜部４９の周辺には水やゴミ等が滞留する虞はない。又、押え板４０ａは止水シート１７の押圧固定を兼用しているため、効率的な構造となる。更に、止水シート１７の上流側端面は押え板４０ａの傾斜部４９によって囲われることになるため、水流に交じって流れてきた石等による止水シート１７の損傷が防止される。
【００７７】
尚、上記の第３の実施の形態では、剛性体を断面直角三角形形状としているが、シート本体と同一厚さの矩形断面形状であっても良い。この場合であっても、曲げ剛性の違いから水流による端部の捲れ上がりを防止することができる。
【００７８】
又、上記の第２の実施の形態では、端部は先端に行くにつれてシート本体の内面側と外面側とに対称形状に広がっているが、対称形状でなくても良く、又一方の面側にのみ広がるように形成しても同様の効果を奏する。
【００７９】
更に、上記の各実施の形態では、止水シートはコンクリートブロックの内面に密着状態に取り付けられているが、これらの間に隙間が存在しても同様に適用できる。この場合、シート本体の上流側の端部や剛性体をコンクリートブロックの内面に接するようにすればより効果的となる。
【図面の簡単な説明】
【００８０】
【図１】この発明の第１の実施の形態による止水シートの概略構造を示した断面図である。
【図２】この発明の第２の実施の形態による止水シートの概略構造を示した断面図である。
【図３】この発明の第３の実施の形態による止水シートの概略形状を示した断面図である。
【図４】この発明の第４の実施の形態による止水シートの概略形状を示した断面図である。
【図５】この発明の第５の実施の形態による止水シートの概略形状を示した断面図である。
【図６】この発明の第６の実施の形態による止水シートの概略形状を示した断面図である。
【図７】この発明の第７の実施の形態による止水シートの概略形状を示した断面図である。
【図８】この発明の第８の実施の形態による止水構造体の概略構造を示した断面図である。
【図９】この発明の第９の実施の形態による止水構造体の概略形状を示した断面図である。
【図１０】この発明の第１０の実施の形態による止水構造体の概略形状を示した断面図である。
【図１１】この発明の第１１の実施の形態による止水構造体の概略形状を示した断面図である。
【図１２】従来の止水構造体の概略形状を示した断面図である。
【図１３】図１２で示した止水構造体の問題点を説明するための概略断面図である。
【図１４】図１２で示した止水構造体の他の問題点を説明するための概略断面図である。
【符号の説明】
【００８１】
１７…止水シート
１８…シート本体
１９…端部
２０…コンクリートブロック
２２…水流
２７…剛性体
２９…先端部
３０…後方部
３３…弾性体
３５…目地部
３７…折り畳み部
３８…カバーシート
４３…剛性板
４４，４８…水平部
４５，４９…傾斜部
尚、各図中同一符号は同一又は相当部分を示す。
【図１】
0005374009.tif 000002
【図２】
0005374009.tif 000003
【図３】
0005374009.tif 000004
【図４】
0005374009.tif 000005
【図５】
0005374009.tif 000006
【図６】
0005374009.tif 000007
【図７】
0005374009.tif 000008
【図８】
0005374009.tif 000009
【図９】
0005374009.tif 000010
【図１０】
0005374009.tif 000011
【図１１】
0005374009.tif 000012
【図１２】
0005374009.tif 000013
【図１３】
0005374009.tif 000014
【図１４】
0005374009.tif 000015